(57)【要約】【課題】ヒット率の高いルアーの提供。【解決手段】ルアーのボディ１２は、チャンバー２８と、このチャンバー２８に収容されたボール２０とを有している。チャンバー２８はボトムコーナー３４、左下壁３６、左上壁３８、右下壁４０及び右上壁４２を有している。ルアーがローリングすることで、ボール２０は、左下壁３６、左上壁３８、右下壁４０及び右上壁４２と衝突する。この衝突によってルアーは、発音する。この発音が、ルアーの存在をフィッシュイーターにアピールする。ボール２０に代えて、柱状転動体がチャンバーに収容されてもよい。好ましい柱状転動体は、正八角柱である。【選択図】図３
2019013171.tif 000002
【特許請求の範囲】
【請求項１】
チャンバーを有するボディと、このチャンバーに収容されておりかつ上記ボディのローリングによって上記チャンバー内を転動する転動体とを備えており、
上記チャンバーが、ボトムコーナー、このボトムコーナーから左上に向かって延在する左下部、この左下部から延在する左上部、このボトムコーナーから右上に向かって延在する右下部、及びこの右下部から延在する右上部を有するルアー。
【請求項２】
上記転動体が球状である請求項１に記載のルアー。
【請求項３】
上記転動体が多角柱であり、この多角柱の高さ方向が上記ボディの軸方向と一致している請求項１に記載のルアー。
【請求項４】
上記転動体が正八角柱である請求項３に記載のルアー。
【請求項５】
上記転動体が円柱であり、この円柱の高さ方向が上記ボディの軸方向と一致している請求項１に記載のルアー。
【請求項６】
チャンバーを有するボディと、このチャンバーに収容されておりかつ上記ボディのローリングによって上記チャンバー内を転動する転動体とを備えており、
上記チャンバーが、円筒状であり、
上記転動体が多角柱であり、この多角柱の高さ方向が上記ボディの軸方向と一致しているルアー。
【発明の詳細な説明】
【技術分野】
【０００１】
本発明は、釣りに用いられるルアーに関する。詳細には、本発明は、ローリングによって音を発するルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、小魚等に疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。フィッシュイーターがルアーに食いつく頻度は、ヒット率と称されている。
【０００３】
水中で音を発するルアーは、ラトルルアーと称されている。ラトルルアーは、チャンバーと、このチャンバーに収容されたボールとを有している。ルアーが水中を泳ぐとき、ボールがチャンバーの内壁に衝突する。この衝突により、音が発生する。この音は、フィッシュイーターに、ルアーの存在をアピールする。ラトルルアーは、高いヒット率に寄与しうる。ラトルルアーの一例が、特開２０１７−５１１２８公報に開示されている。
【先行技術文献】
【特許文献】
【０００４】
【特許文献１】特開２０１７−５１１２８公報
【発明の概要】
【発明が解決しようとする課題】
【０００５】
釣り人は、釣果の得られるルアーを望んでいる。本発明の目的は、ヒット率の高いルアーの提供にある。
【課題を解決するための手段】
【０００６】
本発明に係るルアーは、チャンバーを有するボディと、このチャンバーに収容されておりかつボディのローリングによってチャンバー内を転動する転動体とを備える。このチャンバーは、ボトムコーナー、このボトムコーナーから左上に向かって延在する左下部、この左下部から延在する左上部、このボトムコーナーから右上に向かって延在する右下部、及びこの右下部から延在する右上部を有する。
【０００７】
好ましくは、転動体は、球状である。
【０００８】
転動体が多角柱であってもよい。この多角柱の高さ方向は、ボディの軸方向と一致している。好ましくは、転動体は、正八角柱である。転動体が、円柱であってもよい。
【０００９】
他の観点によれば、本発明に係るルアーは、チャンバーを有するボディと、このチャンバーに収容されておりかつボディのローリングによってチャンバー内を転動する転動体とを備える。チャンバーは、円筒状である。転動体は多角柱である。この多角柱の高さ方向は、ボディの軸方向と一致している。
【発明の効果】
【００１０】
本発明に係るルアーは、ボディのローリングの１周期当たりの発音回数が多い。この発音は、フィッシュイーターにルアーの存在をアピールする。このルアーのヒット率は、高い。
【図面の簡単な説明】
【００１１】
【図１】図１は、本発明の一実施形態に係るルアーが示された正面図である。
【図２】図２は、図１のルアーが示された断面図である。
【図３】図３は、図１のIII−III線に沿った拡大断面図である。
【図４】図４は、図３のルアーが示された断面図である。
【図５】図５は、図３のルアーが示された断面図である。
【図６】図６は、本発明の他の実施形態に係るルアーが示された断面図である。
【図７】図７は、図６のVII−VII線に沿った拡大断面図である。
【図８】図８は、図６のルアーの柱状転動体が示された斜視図である。
【図９】図９は、図７のルアーが示された断面図である。
【図１０】図１０は、図７のルアーが示された断面図である。
【図１１】図１１は、図７のルアーが示された断面図である。
【図１２】図１２は、図７のルアーが示された断面図である。
【発明を実施するための形態】
【００１２】
以下、適宜図面が参照されつつ、好ましい実施形態に基づいて本発明が詳細に説明される。
【００１３】
図１及び２には、本発明の一実施形態に係るルアー２が示されている。これらの図には、ヘッド４を前に、テール６を後に、背８を上に、そして腹１０を下に向けた状態のルアー２が示されている。このルアー２は、ボディ１２、ラインアイ１４、第一フックアイ１６、第二フックアイ１８及びボール２０を有している。ボール２０は、本発明にいう「「球状の転動体」である。
【００１４】
ボディ１２は、ベイトである小魚に類似の外形を有する。ボディ１２は、硬質樹脂を基材とする樹脂組成物から形成されている。ボディ１２は、前ボディ２２、中ボディ２４及び後ボディ２６からなる。中ボディ２４は、前ボディ２２にヒンジ結合されている。従って中ボディ２４は、前ボディ２２に対して屈曲しうる。後ボディ２６は、中ボディ２４にヒンジ結合されている。従って後ボディ２６は、中ボディ２４に対して屈曲しうる。図２に示されるように、前ボディ２２は中空である。前ボディ２２は、チャンバー２８を有している。
【００１５】
ラインアイ１４は、金属線が曲げられることによって形成されている。金属線の一部は、ボディ１２に埋設されている。この埋設により、ラインアイ１４がボディ１２のヘッド４に取り付けられている。ラインアイ１４には、直接に、又はスプリットリング等を介して、ラインが連結される。ラインが引かれることにより、ルアー２が水中を泳ぐ。
【００１６】
第一フックアイ１６は、金属線が曲げられることによって形成されている。金属線の一部は、ボディ１２に埋設されている。この埋設により、第一フックアイ１６が前ボディ２２の腹１０に取り付けられている。第一フックアイ１６には、スプリットリングを介して、フックが連結される。
【００１７】
第二フックアイ１８は、金属線が曲げられることによって形成されている。金属線の一部は、ボディ１２に埋設されている。この埋設により、第二フックアイ１８が中ボディ２４の腹１０に取り付けられている。第二フックアイ１８には、スプリットリングを介して、フックが連結される。水中を泳ぐルアー２をベイトであると勘違いしたフィッシュイーターは、第一フックアイ１６又は第二フックアイ１８に取り付けられたフックに引っかかり、釣り上げられる。
【００１８】
ボール２０は、球状の転動体である。ボール２０は、チャンバー２８に収容されている。ボール２０の材質として、スチール、ステンレススチール、鉛、鉛合金、タングステン合金及びモリブデン合金が例示される。ボール２０が、硬質な合成樹脂から形成されてもよい。
【００１９】
図３は、図１のIII−IIIに沿った拡大断面図である。図３のボディ１２において、符号３０で示されているのは左横腹であり、符号３２で示されているのは右横腹である。図３では、左横腹３０は向かって右に位置しており、右横腹３２は向かって左に位置している。
【００２０】
図３に示されるように、チャンバー２８の断面形状は、ほぼ正方形である。このチャンバー２８は、最も腹１０の側に位置するボトムコーナー３４を有する。チャンバー２８はさらに、左下壁３６（左下部）、左上壁３８（左上部）、右下壁４０（右下部）及び右上壁４２（右上部）を有している。左下壁３６は、ボトムコーナー３４から左上に向かって延在している。左上壁３８は、左下壁３６の上端から右上に向かって延在している。右下壁４０は、ボトムコーナー３４から右上に向かって延在している。右上壁４２は、右下壁４０の上端から左上に向かって延在している。チャンバー２８の壁の数は、４である。チャンバー２８が、５以上の壁を有してもよい。
【００２１】
チャンバー２８の内寸は、ボール２０の外径に比べて十分に大きい。従ってボール２０は、チャンバー２８の中で転動しうる。図３では、ボール２０は、ボトムコーナー３４の近傍に位置している。このボール２０は左下壁３６に当接しており、右下壁４０にも当接している。チャンバー２８に、２以上のボール２０が収容されてもよい。
【００２２】
図４には、左（向かって右）に傾いたボディ１２が示されている。図４では、ボール２０は、左下壁３６に当接しており、左上壁３８にも当接している。
【００２３】
図５には、右（向かって左）に傾いたボディ１２が示されている。図５では、ボール２０は、右下壁４０に当接しており、右上壁４２にも当接している。
【００２４】
このルアー２がキャストされると、空中を飛行する。このルアー２は、着水する。釣り人がラインを巻くことで、ルアー２が水中を泳ぎ始める。このときのボール２０は、図３に示された位置にある。このボール２０は、ルアー２の重心の適正に寄与しうる。
【００２５】
さらにラインが巻かれると、ルアー２が正方向へのローリングを開始する。ルアー２の姿勢は、図３に示された状態から図４に示された状態へと移行する。これに伴ってボール２０が転動し、左上壁３８と衝突する。この衝突により、ルアー２は発音する。この発音は、ルアー２の存在をフィッシュイーターにアピールする。
【００２６】
さらにラインが巻かれると、ルアー２が逆方向へのローリングを開始する。ルアー２の姿勢は、図４に示された状態から図３に示された状態へと移行する。これに伴ってボール２０が転動し、右下壁４０と衝突する。この衝突により、ルアー２は発音する。この発音は、ルアー２の存在をフィッシュイーターにアピールする。
【００２７】
さらにラインが巻かれると、ルアー２が逆方向へのローリングを継続する。ルアー２の姿勢は、図３に示された状態から図５に示された状態へと移行する。これに伴ってボール２０が転動し、右上壁４２と衝突する。この衝突により、ルアー２は発音する。この発音は、ルアー２の存在をフィッシュイーターにアピールする。
【００２８】
さらにラインが巻かれると、ルアー２が正方向へのローリングを開始する。ルアー２の姿勢は、図５に示された状態から図３に示された状態へと移行する。これに伴ってボール２０が転動し、左下壁３６と衝突する。この衝突により、ルアー２は発音する。この発音は、ルアー２の存在をフィッシュイーターにアピールする。
【００２９】
このルアー２では、１周期のローリングにおいて４回の発音が得られる。この発音回数は、多い。このルアー２は、フィッシュイーターへのアピール性能に優れる。このルアー２のヒット率は、高い。
【００３０】
図６は、本発明の他の実施形態に係るルアー４４が示された断面図である。このルアー４４は、図１及び２に示されたルアー２と同様に、ボディ４５、ラインアイ１４、第一フックアイ１６及び第二フックアイ１８を有している。ボディ４５は、前ボディ４６、中ボディ２４及び後ボディ２６を有している。前ボディ４６は中空である。前ボディ４６は、チャンバー４８を有している。
【００３１】
このルアー４４はさらに、柱状転動体５０を有している。柱状転動体５０は、チャンバー４８に収容されている。柱状転動体５０の材質として、スチール、ステンレススチール、鉛、鉛合金、タングステン合金及びモリブデン合金が例示される。柱状転動体５０が、硬質な合成樹脂から形成されてもよい。
【００３２】
図７は、図６のVII−VIIに沿った拡大断面図である。図７に示されるように、チャンバー４８の断面形状は、ほぼ正方形である。このチャンバー４８は、最も腹１０の側に位置するボトムコーナー５２を有する。チャンバー４８はさらに、左下リブ５４（左下部）、左上リブ５６（左上部）、右下リブ５８（右下部）及び右上リブ６０（右上部）を有している。左下リブ５４は、ボトムコーナー５２から左上に向かって延在している。左上リブ５６は、左下リブ５４の上端から右上に向かって延在している。右下リブ５８は、ボトムコーナー５２から右上に向かって延在している。右上リブ６０は、右下リブ５８の上端から左上に向かって延在している。チャンバー４８のリブの数は、４である。チャンバー４８が、５以上のリブを有してもよい。
【００３３】
図８は、図６のルアー４４の柱状転動体５０が示された斜視図である。図８から明らかなように、柱状転動体５０の底面形状は、正八角形である。すなわち、柱状転動体５０の全体形状は、正八角柱である。柱状転動体５０は、第一側面Ｓ１、第二側面Ｓ２、第三側面Ｓ３、第四側面Ｓ４、第五側面Ｓ５、第六側面Ｓ６、第七側面Ｓ７及び第八側面Ｓ８を有している。柱状転動体５０の底面形状が他の多角形であってもよい。
【００３４】
チャンバー４８の内寸は、柱状転動体５０の外径に比べて十分に大きい。従って柱状転動体５０は、チャンバー４８の中で転動しうる。図７では、柱状転動体５０は、ボトムコーナー５２の近傍に位置している。左下リブ５４に第一側面Ｓ１が当接しており、右下リブ５８に第七側面Ｓ７が当接している。柱状転動体５０の高さ方向は、ボディ４５のローリングの軸方向と、ほぼ一致している。
【００３５】
図９には、左（向かって右）に傾いたボディ４５が示されている。図９では、第二側面Ｓ２が左下リブ５４に当接している。
【００３６】
図１０には、さらに左に傾いたボディ４５が示されている。図１０では、第三側面が左上リブ５６に当接している。
【００３７】
図１１には、右（向かって左）に傾いたボディ４５が示されている。図１１では、第六側面Ｓ６が右下リブ５８に当接している。
【００３８】
図１２には、さらに右に傾いたボディ４５が示されている。図１２では、第五側面Ｓ５が右上リブ６０に当接している。
【００３９】
このルアー４４がキャストされると、空中を飛行する。このルアー４４は、着水する。釣り人がラインを巻くことで、ルアー４４が水中を泳ぎ始める。このときの柱状転動体５０は、図７に示された位置にある。この柱状転動体５０は、ルアー４４の重心の適正に寄与しうる。
【００４０】
さらにラインが巻かれると、ルアー４４が正方向へのローリングを開始する。ルアー４４の姿勢は、図７に示された状態から図９に示された状態へと移行する。これに伴って柱状転動体５０が転動し、第二側面Ｓ２が左下リブ５４と衝突する。この衝突により、ルアー４４は発音する。この発音は、ルアー４４の存在をフィッシュイーターにアピールする。
【００４１】
さらにラインが巻かれると、ルアー４４がさらに正方向へのローリングを継続する。ルアー４４の姿勢は、図９に示された状態から図１０に示された状態へと移行する。これに伴って柱状転動体５０が滑り、第三側面Ｓ３が左上リブ５６と衝突する。この衝突により、ルアー４４は発音する。この発音は、ルアー４４の存在をフィッシュイーターにアピールする。
【００４２】
さらにラインが巻かれると、ルアー４４が逆方向へのローリングを開始する。ルアー４４の姿勢は、図１０に示された状態から図９に示された状態を経て、図７に示された状態へと移行する。これに伴って柱状転動体５０が転動し、第七側面Ｓ７が右下リブ５８と衝突する。この衝突により、ルアー４４は発音する。この発音は、ルアー４４の存在をフィッシュイーターにアピールする。
【００４３】
さらにラインが巻かれると、ルアー４４が逆方向へのローリングを継続する。ルアー４４の姿勢は、図７に示された状態から図１１に示された状態へと移行する。これに伴って柱状転動体５０が転動し、第六側面Ｓ６が右下リブ５８と衝突する。この衝突により、ルアー４４は発音する。この発音は、ルアー４４の存在をフィッシュイーターにアピールする。
【００４４】
さらにラインが巻かれると、ルアー４４が逆方向へのローリングを継続する。ルアー４４の姿勢は、図１１に示された状態から図１２に示された状態へと移行する。これに伴って柱状転動体５０が滑り、第五側面Ｓ５が右上リブ６０と衝突する。この衝突により、ルアー４４は発音する。この発音は、ルアー４４の存在をフィッシュイーターにアピールする。
【００４５】
さらにラインが巻かれると、ルアー４４が正方向へのローリングを開始する。ルアー４４の姿勢は、図１２に示された状態から、図１１に示された状態を経て、図７に示された状態へと移行する。これに伴って柱状転動体５０が転動し、第一側面Ｓ１が左下リブ５４と衝突する。この衝突により、ルアー４４は発音する。この発音は、ルアー４４の存在をフィッシュイーターにアピールする。
【００４６】
このルアー４４では、柱状転動体５０の転動による発音と、滑りによる発音とが生じうる。両者が、不規則に混在することもある。
【００４７】
このルアー４４では、１周期のローリングにおいて多数回の発音が得られる。このルアー４４は、フィッシュイーターへのアピール性能に優れる。このルアー４４のヒット率は、高い。
【００４８】
柱状転動体５０が、円柱であってもよい。この柱状転動体５０は、左下リブ５４、左上リブ５６、右下リブ５８及び右上リブ６０に衝突するときに発音する。発音は、フィッシュイーターにアピールする。
【００４９】
チャンバー４８が円筒状であってもよい。このチャンバー４８の中を、多角柱の転動体５０が転動することで、この転動体５０の各側面がチャンバー４８の内壁に衝突する。この衝突により、ルアーは発音する。発音は、フィッシュイーターにアピールする。
【産業上の利用可能性】
【００５０】
本発明に係るルアーは、湖沼、池、ダム、川、海等の種々のフィールドでの釣りに適している。
【符号の説明】
【００５１】
２、４４・・・ルアー
１２、４５・・・ボディ
２０・・・ボール
２８、４８・・・チャンバー
３４、５２・・・ボトムコーナー
３６・・・左下壁
３８・・・左上壁
４０・・・右下壁
４２・・・右上壁
５０・・・柱状転動体
５４・・・左下リブ
５６・・・左上リブ
５８・・・右下リブ
６０・・・右上リブ
Ｓ１・・・第一側面
Ｓ２・・・第二側面
Ｓ３・・・第三側面
Ｓ４・・・第四側面
Ｓ５・・・第五側面
Ｓ６・・・第六側面
Ｓ７・・・第七側面
Ｓ８・・・第八側面
【図１】
2019013171.tif 000003
【図２】
2019013171.tif 000004
【図３】
2019013171.tif 000005
【図４】
2019013171.tif 000006
【図５】
2019013171.tif 000007
【図６】
2019013171.tif 000008
【図７】
2019013171.tif 000009
【図８】
2019013171.tif 000010
【図９】
2019013171.tif 000011
【図１０】
2019013171.tif 000012
【図１１】
2019013171.tif 000013
【図１２】
2019013171.tif 000014